(57)【要約】    【課題】  インターネット上において、介護に用いる福祉用具を販売あるいはレンタルする際に、目的とする福祉用具が容易にかつ的確に選択できるようにする。    【解決手段】  利用者が福祉用具の選択のホームページにアクセスし、まず利用者の身体の状態（ＡＤＬ）、福祉用具の使用目的、あるいは用途を入力すると、上記のそれぞれの状況、目的、または用途に応じた画面が表示され、その中から目的とする項目を選択すると、仮想の利用者が画面上で移動するアニメーション画面が表示されるとともに、その中に表示される福祉用具であってしかもポイントを有する福祉用具について、カーソルで選択を行なう。するとその福祉用具の仕様が別画面で表示されるようにする。従ってこの別画面の仕様を見ながら、福祉用具の選択を行なう。    【選択図】    図２
2006252352.tif 000002
【特許請求の範囲】
【請求項１】
デジタル通信ネットワークを介して購入あるいはレンタルする福祉用具を選択する方法において、
福祉用具の販売またはレンタルのホームページ上において、利用者の状況、目的、または用途を入力すると、前記利用者の状況、目的、または用途に応じたイメージが表示されるとともに、該イメージ中に福祉用具が表示され、
所定の福祉用具を指示すると、指示された福祉用具の仕様が表示されるようにしたことを特徴とする福祉用具の選択方法。
【請求項２】
イメージがアニメーションであって、仮想の利用者が画面上で移動することを特徴とする請求項１に記載の福祉用具の選択方法。
【請求項３】
アニメーションから成るイメージによる表示において、画面上の福祉用品にカーソルを合わせてクリックすると、前記福祉用品の仕様が別画面で表示されることを特徴とする請求項１に記載の福祉用具の選択方法。
【請求項４】
仕様についての情報が用意されている福祉用品には、アニメーション画面上にポイント表示が行なわれることを特徴とする請求項３に記載の福祉用具の選択方法。
【請求項５】
前記利用者の状況が、ひざが痛い、手が痛い、寝たきり等の身体の状況であることを特徴とする請求項１に記載の福祉用具の選択方法。
【請求項６】
前記目的または用途が、起床、着替え、食事、歩行、会話、排泄、入浴、運動等の生活上の機能的動作であることを特徴とする請求項１に記載の福祉用具の選択方法。
【発明の詳細な説明】
【技術分野】
【０００１】
本発明は福祉用具の選択方法に係り、とくにインターネット等のデジタル通信ネットワークのホームページを利用して福祉用具を選択する福祉用具の選択方法に関する。
【背景技術】
【０００２】
人口構成の高齢化に伴なって、高齢者に対する福祉や介護の要請が高まっている。介護には施設による介護と、在宅介護とが存在する。何れの場合においても、被介護者に対して所定の介護を施すために、多かれ少なかれ福祉用具を必要とする。
【０００３】
このような福祉用具を調達するために、従来はその専門店の店頭に陳列された福祉用具の中から適当な福祉用具を選択したり、福祉用具の会社の営業担当者が、福祉施設を巡回して販売する等の方法が採られていた。さらにはベンダーが福祉用具をカタログに掲載し、このカタログを福祉施設等に配付してカタログ販売を行なうようにしていた。またインターネットによって福祉用具を提供する業者も存在する。
【０００４】
インターネットによって福祉用具を供給すると、販売の工数を大幅に削減することができ、これによって安価に福祉用具を提供できる利点がある。ところが福祉用具はその目的に応じて、多種多様であって、機能もまちまちなものが多い。従ってインターネットのホームページ上で福祉用具を選択する場合には、どのような目的に応じてどのような福祉用具を選択するかの判断がつき難く、あるいはまた膨大な種類の福祉用具の全体をインターネットのホームページ上に配列しても、どのような福祉用具を選択するのが好適かが、クライアントには必ずしも迅速に理解できない。このような理由から、とくに機能性を有する福祉用具については、インターネットによる販売が広く行なわれていない。
【０００５】
福祉用具の販売をネットショッピングシステムを用いて行なうことも考察されるが、通常のネットショッピングシステムは、１つの目標に向かって選択を繰返していくシステムになっており、階層を順次下げていくと、これによって目的とする範囲が絞られ、やがて目的とする商品に辿り着くことができる。しかるにこのような方法は、目的商品以外の便利なものがあっても、それを見つけたり、気付いたりすることができない。すなわちネットショッピングの欠点は、利用者の視野を狭めてしまうことである。
【発明の開示】
【発明が解決しようとする課題】
【０００６】
本願発明の課題は、目的とする福祉商品を、的確にかつ容易に選択することができる福祉用具の選択方法を提供することである。
【０００７】
本願発明の別の課題は、目的とする福祉用具を、視覚的に選択することが可能な福祉用具の選択方法を提供することである。
【０００８】
本願発明のさらに別の課題は、利用者の状況、目的、あるいは用途に応じて、速やかに福祉用具を選定できるようにした福祉用具の選択方法を提供することである。
【０００９】
本願発明のさらに別の課題は、仮想の利用者がアニメーション画面上で移動するイメージを用いて、目的とする福祉用具を的確に選択できるようにした福祉用具の選択方法を提供することである。
【００１０】
本願発明のさらに別の課題は、イメージ上において目的とする福祉用具以外の福祉用具の存在を示すことができるようにした福祉用具の選択方法を提供することである。
【００１１】
本願発明の上記の課題および別の課題は、以下に述べる本願発明の技術的思想およびその実施の形態によって明らかにされよう。
【課題を解決するための手段】
【００１２】
本願の主要な発明は、デジタル通信ネットワークを介して購入あるいはレンタルする福祉用具を選択する方法において、
福祉用具の販売またはレンタルのホームページ上において、利用者の状況、目的、または用途を入力すると、前記利用者の状況、目的、または用途に応じたイメージが表示されるとともに、該イメージ中に福祉用具が表示され、
所定の福祉用具を指示すると、指示された福祉用具の仕様が表示されるようにしたことを特徴とする福祉用具の選択方法に関するものである。
【００１３】
ここで、イメージがアニメーションであって、仮想の利用者が画面上で移動するようにしてよい。またアニメーションから成るイメージによる表示において、画面上の福祉用品にカーソルを合わせてクリックすると、前記福祉用品の仕様が別画面で表示されるようにしてよい。また仕様についての情報が用意されている福祉用品には、アニメーション画面上にポイント表示が行なわれてよい。また前記利用者の状況が、ひざが痛い、手が痛い、寝たきり等の身体の状況であってよい。また前記目的または用途が、起床、着替え、食事、歩行、会話、排泄、入浴、運動等の生活上の機能的動作であってよい。
【発明の効果】
【００１４】
本願の主要な発明は、デジタル通信ネットワークを介して購入あるいはレンタルする福祉用具を選択する方法において、福祉用具の販売またはレンタルのホームページ上において、利用者の状況、目的、または用途を入力すると、利用者の状況、目的、または用途に応じたイメージが表示されるとともに、該イメージ中に福祉用具が表示され、所定の福祉用具を指示すると、指示された福祉用具の仕様が表示されるようにしたものである。
【００１５】
従ってこのような福祉用具の選択方法によれば、利用者の状況、目的、または用途を入力すると、利用者の状況、目的、または用途のそれぞれの内容に応じたイメージが表示されることになり、しかもこのイメージ中に福祉用具が表示される。従ってイメージ中の福祉用具を選択して指示すると、これによって福祉用具の仕様が表示されることになり、この表示を見ながら福祉用具を選択できるようになる。
【発明を実施するための最良の形態】
【００１６】
以下本願発明を、図示の実施の形態によって説明する。図１は福祉用具の選択を行なうためのシステム構成を示しており、ここではデジタル通信網を構成するインターネット１０を用いるようにしている。インターネット１０は、福祉用具を選択して販売あるいはレンタルするためのホームページを運営するサーバー１１と接続されている。さらにインターネット１０を介して上記サーバー１１には、ベンダー端末１２とクライアント端末１３とが接続される。ベンダー端末１２は、福祉用具を供給する供給業者の支配下にある。これに対してクライアント端末１３は、実際に福祉用具を使用するユーザー、あるいは福祉用具を調達して、介護業務を行なう介護業者の支配下にある。
【００１７】
図２は図１に示すシステムによる福祉用具の選択と、この福祉用具の選択に続く福祉用具の購入あるいはレンタルの動作を示している。福祉用具を実際に購入あるいはレンタルする利用者または福祉業者は、クライアント端末１３によってサーバー１１が運営する福祉用具のホームページにアクセスする。するとサーバー１１から、福祉用具の選択のためのホームページがクライアント端末１３に送信される。従ってここでクライアント端末１３によって検索項目を選択し、その内容をサーバー１１側に送信する。すると選択した項目に応じたアニメーションによるマトリックス開始画面がサーバー１１からクライアント端末１３に送信される。従ってこのアニメーション画面によって、身体の状態（ＡＤＬ  Ａｃｔｉｖｉｔｉｅｓ  ｏｆ  Ｄａｉｌｙ  Ｌｉｖｉｎｇ）を入力する。そしてその内容をサーバー１１に送信する。するとサーバー１１からは、上記の選択項目に応じた内容の画面がクライアント端末１３に送られる。このような動作を順次繰返すことによって、より具体的な画面に階層が下がっていく。
【００１８】
上記の動作を繰返すことによって、利用者あるいは福祉業者は、クライアント端末１３上の画面で、目的とする商品を見つけ出して選択することができる。そして商品の選択を行なった場合には、これに対応する画面がサーバー１１からクライアント端末１３に送られ、クライアント端末１３上には注文フォームの画面が表示される。従ってこの注文フォームの画面上で、注文の釦を押下する。するとこの内容がクライアント端末１３からサーバー１１に送られ、サーバー１１からはこれに応答して注文フォームの画面が送られる。従ってこの画面を用いてクライアント端末１３によって、項目を入力して注文動作を行なう。この注文動作はサーバー１１を経由して、あるいはまた直接ベンダー端末１２に送られる。従ってベンダー端末１２は、上記の注文を受付けるとともに、注文内容の確認のための連絡を行なう。
【００１９】
図３は図２の動作をフローチャートで示している。このフローチャートにおいて、クライアント端末１３を操作する利用者、あるいは介護業者は、サーバー１１の福祉用具のサイトへ接続し、選択スタート画面をクライアント端末１３上に表示させる。そしてこの後に検索項目を選択し、アニメーションによるマトリックス開始画面の表示を行なわせる。そしてこの後にアニメーションによる身体の状態（ＡＤＬ）の選択を行なう。この選択に応じて次のマトリックス画面がクライアント端末１３に表示される。従って次の階層の身体の状態（ＡＤＬ）の選択を行なう。するとこの選択に応じた内容の画面が再びサーバー１１から送られてクライアント端末１３に表示される。
【００２０】
上記のような動作を繰返すことによって、やがて希望の商品を見つけ出すことができる。従ってこのときには注文釦を押下する。すると注文フォームの画面がクライアント端末１３上に表示されるために、この画面上で必要項目を入力する。そしてこの後に注文釦を押下すると、注文内容がクライアント端末１３からサーバー１１あるいはベンダー端末１２に送信される。従ってサーバー１１あるいはベンダー端末１２からは、注文内容の表示が行なわれる。
【００２１】
図４は、とくに図３に示すフローチャートの後半部分の動作に対応するサーバー１１、あるいはベンダー端末１２の動作を示しており、クライアント端末１３によって利用者あるいは介護業者から注文があると、その内容を受信する。そしてその内容をデータベースに書込むようにする。同時に受付けた内容をクライアント端末１３側に送信する。そしてこの後に選択された商品の配送等の指示の処理を行なって動作を終了する。
【００２２】
図５は、図３および図４に示すフローチャートをより具体化して示したものであって、ここでは福祉用具の選択のホームページにアクセスすると、そのホームページ上においてまず主人公条件の入力が要求される。ここで主人公条件の入力とは、利用者の身体の状態（ＡＤＬ）に関する入力であって、性別、身体の状態、病名、既往症、住居環境等の条件を入力する。するとその条件が表示される。そして条件がＯＫの場合にはプレビュー画面に移行し、ここで選択したい福祉用具の目的または用途を入力する。この内容は、起床、食事、歩行、入浴等の選択である。
【００２３】
ここで終了しない場合には、次いで動作の選択の画面に移行する。動作の選択は、図６に示すように、福祉用具の選択がアニメーション表示で行なわれるとともに、このアニメーション表示の画面の下の部分に、再生、早送り、巻戻し、停止の各釦を備えている。従ってここで何れかの選択を行なう。例えばＳＷ１＝１に設定した場合には再生動作が行なわれ、ＳＷ１＝２に設定された場合には早送り動作が行なわれ、ＳＷ１＝３に設定された場合には巻戻し動作が行なわれる。
【００２４】
この後、終了しない場合にはポイント表示画面に移る。ここでポイント表示とは、図６に示すように、この画面中に該当する福祉用具に関する情報を保持する場合には、その福祉用具の部分にポイント（マーク）を表示するものである。従ってクライアント端末１３の画面上において、このポイントの部分をクリックすると、当該福祉用具に関する商品の一覧が表示される（図６参照）。そしてこのような候補商品の表示から、取引画面に移行する。
【００２５】
この取引処理は販売レンタル処理である。販売レンタル処理は、販売かレンタルかを選択し、この後に購入者あるいはレンタルする者が、所要の情報を入力する。するとこの情報が表示され、これがＯＫであるかどうかの判断を行なう。そして入力情報が不足の場合には再入力を行なう。この後入力された情報が、クライアント端末１３に送信されて販売レンタル処理を終了する。
【００２６】
図５に示すプログラムによる福祉用具の選択は、テレビゲームのように、仮想の利用者または家族の条件をまず設定する。利用者本人の場合には、身体の状況（ＡＤＬ）、および症状である。その例としては、ひざが痛い、手が痛い、腰が痛い、寝たきり等の入力を行なう。そして介護者の場合には、介護者としての条件を設定する。
【００２７】
この後に生活のシミュレーションをアニメで表示する。生活のシミュレーションとは、起床、着替え、食事、歩行、会話、排泄、入浴、運動等である。そしてこのシミュレーションの中には、主人公にとって便利な福祉用具が使われるようにする。開発された福祉用具があるものは、グループ化してマークを付しておく。また福祉用具は家の中で使用するものと家の外で使用するものに区別しておく。
【００２８】
さらに上記のアニメ表示には、早送り、一時停止、巻戻し、停止の釦を用意する。一時停止した際に、画面上で気付いた福祉用具をクリックすると、用途や効果が表示され、該当する製品リストが別画面で表示されるようになる。従ってこの中に希望商品があれば、この希望商品を指定する。すると購入画面やレンタル画面にジャンプし、ここで購入手続やレンタル手続が行なわれる。
【００２９】
総てがアニメーションに載せることはできないかもしれないが、一般的なものは表現することが可能である。それ以外については、従来型の選定方法を利用するようにして、別メニューで残すようになっている。
【００３０】
なお図５に示すフローチャートにおける、プレビュー設定処理は、図７のサブルーチンに基づいて行なわれる。ここではまずＳＷ１を０にリセットし、プレビュー条件の入力を行なう。この入力がＯＫの場合には、アニメーション分割とナンバリングとを行なう。そしてレジスタＮＯに分割されたファイル総数を設定し、ＳＷ２に１、すなわち最初のファイル番号をセットする。なおＳＷ２は、ファイルの番号を設定するレジスタである。
【００３１】
従って図７に示すプレビュー設定処理によって、アニメーション分割された複数の画面の内の、ＳＷ２＝１に設定された最初の画面の表示が行なわれる。
【００３２】
次に図５に示すフローチャート中の再生処理の動作を、図８に示すサブルーチンによって説明する。まず画像のファイル番号をセットしたレジスタＳＷ２が０以下かどうかの判断を行ない、０以下でない場合には、ＳＷ２の値がＮＯ（分割ファイルの総数）以上かどうかの判断を行なう。そしてＳＷ２がＮＯ以上でない場合には、次にＳＷ１＝１かどうかの判断を行ない、ＳＷ１＝１の場合には再生動作を行なう。
【００３３】
従ってここでは最初のファイル番号に相当する画像が表示される。そしてこのときに、ＳＷ２をインクリメントする。この後図８の出口から、図５に示す動作選択の工程に移行するが、ここで動作選択の状態を変更しない限り、再び図８の再生に戻る。従ってインクリメントされたＳＷ２の値に応じて、次の画像表示が行なわれる。この動作がファイルの総数に相当する回だけ繰返される。これが再生動作である。
【００３４】
次に図８に示すフローチャートにおいて、ＳＷ１が１でないと判断された場合には、ＳＷ１が２かどうかの判断を行ない、２の場合には早送り再生が行なわれる。この早送り再生は、まず最初の画面を表示した後に、レジスタＳＷ２に数値２を加算する。そしてこの後に図８の出口を経由して、図５に示す動作選択の動作に戻る。従ってここで早送りの動作選択に変更がなければ、図８に示す動作が繰返され、ＳＷ２に２が加算されているために、１つ置いた次の画像が再生される。この動作が、ファイルの総数に当たる値を超えるまで実行されるために、再生の動作の２倍の速度で早送り再生が行なわれる。
【００３５】
ＳＷ１が２でないと判断された場合には、巻戻しの動作に移行する。巻戻しの動作は、そのときの画像から順次１つずつ逆方向にファイルを再生する動作である。この動作はある画像を表示した後に、ＳＷ２の値をデクリメントする。そしてこの後に図８の出口を経て図５に示す動作選択の工程に移行する。従ってここで巻戻しの動作選択に変更がなければ、再び図８の巻戻しの動作が行なわれ、ファイルを逆順で順次再生する巻戻し動作が行なわれる。
【００３６】
このようなアニメーション表示による福祉用具の選択は、利用者自身、あるいは家族が便利な福祉用具のイメージをし易い。またベンダーあるいは業者にとっては、そのときに目的とするもの以外の商品についても、利用者や介護者に気付かせることができ、これによって利用者や介護者の購買意欲が高まり、販売促進につながる。また福祉用具の開発側にとっては、ある程度生活パターンが決まっているために、福祉用具の開発が容易になる利点がある。
【００３７】
以上本願発明を図示の実施の形態によって説明したが、本願発明は上記実施の形態によって限定されることなく、本願に含まれる発明の技術的思想の範囲内において各種の変更が可能である。例えば上記実施の形態における利用者の状況、目的、あるいは用途に応じたそれぞれの内容項目等については、列挙した以外の各種の項目を追加し、あるいは入替えることができる。
【産業上の利用可能性】
【００３８】
本願発明は、インターネットを通して福祉用具を販売あるいはレンタルするのに利用可能である。
【図面の簡単な説明】
【００３９】
【図１】インターネットを利用した福祉用具の選択のためのシステムを示すブロック図である。
【図２】福祉用具の選択および申込みの動作を順を追って示すブロック図である。
【図３】福祉用具の選択の動作のフローチャートである。
【図４】福祉用具の受注から発送までの動作を示すフローチャートである。
【図５】アニメーションを用いた福祉用具の選択システムの具体例のフローチャートである。
【図６】アニメーションによる福祉用具の選択の画面を示す平面図である。
【図７】プレビュー設定処理の動作を示すフローチャートである。
【図８】再生処理の動作を示すフローチャートである。
【符号の説明】
【００４０】
１０  インターネット（デジタル通信網）
１１  サーバー
１２  ベンダー端末
１３  クライアント端末
【図１】
2006252352.tif 000003
【図２】
2006252352.tif 000004
【図３】
2006252352.tif 000005
【図４】
2006252352.tif 000006
【図５】
2006252352.tif 000007
【図７】
2006252352.tif 000008
【図８】
2006252352.tif 000009
【図６】
2006252352.tif 000010